(57)【要約】  携帯端末装置が備えるいずれかの筐体を開状態とした時の装置本体の傾きに応じて、予め設定された所定の機能を起動する折り畳み型携帯電話装置、その機能起動方法及びプログラムを提供する。  第１の筐体と、第２の筐体とを備えた携帯端末装置であって、携帯端末装置本体の傾き毎に、所定の機能を対応付けて予め設定する機能設定手段と、第１の筐体又は第２の筐体のいずれかが動かされて、開状態又は閉状態となったことを検出する開閉状態検出手段と、開閉状態検出手段により開状態が検出された場合、携帯端末装置本体の傾きを検出する傾き検出手段と、傾き検出手段によって検出された傾きに基づいて、機能設定手段により予め設定された所定の機能を起動する機能起動手段と、を有する。
2008126571.tif 000002
【特許請求の範囲】
【請求項１】
第１の筐体と、第２の筐体とを備えた携帯端末装置であって、
前記携帯端末装置本体の傾き毎に、所定の機能を対応付けて予め設定する機能設定手段と、
前記第１の筐体又は前記第２の筐体のいずれかが動かされて、開状態又は閉状態となったことを検出する開閉状態検出手段と、
前記開閉状態検出手段により開状態が検出された場合、前記携帯端末装置本体の傾きを検出する傾き検出手段と、
前記傾き検出手段によって検出された傾きに基づいて、前記機能設定手段により予め設定された所定の機能を起動する機能起動手段と、
を有することを特徴とする携帯端末装置。
【請求項２】
前記機能起動手段は、
前記開閉状態検出手段により閉状態が検出された場合、前記起動した所定の機能を終了することを特徴とする請求項１記載の携帯端末装置。
【請求項３】
前記第１の筐体及び前記第２の筐体は共に、
表示手段と、該表示手段の前面に配置される透明のスイッチ手段とを備え、
前記機能起動手段は、
各々の前記表示手段に対して、前記起動した所定の機能に係る情報、及び、前記起動した所定の機能に応じた処理を指示するための操作部、のうち少なくとも１つを表示する制御を行い、かつ、前記操作部を表示した前記表示手段に対して、該表示手段の前面に配置された前記スイッチ手段を有効にする制御を行うことを特徴とする請求項１又は２記載の携帯端末装置。
【請求項４】
前記第１の筐体及び前記第２の筐体は共に、
表示手段と、該表示手段の前面に配置される透明のスイッチ手段とを備え、
前記機能起動手段は、
前記所定の機能として、画像表示機能を起動した場合、
一方の前記表示手段に対して、前記画像表示機能による画像を表示する制御を行い、
他方の前記表示手段に対して、前記画像表示機能に係る情報、及び、前記画像表示機能に応じた処理を指示するための操作部を表示し、かつ、前記他方の表示手段の前面に配置された前記スイッチ手段を有効にする制御を行うことを特徴とする請求項１から３のいずれか１項に記載の携帯端末装置。
【請求項５】
前記機能起動手段は、
前記傾き検出手段によって検出された傾きに基づいて、前記表示手段における表示の向きを制御することを特徴とする請求項３又は４記載の携帯端末装置。
【請求項６】
前記携帯端末装置は、
前記第１の筐体と前記第２の筐体とを重ね合わせた閉状態から、いずれかの筐体を、水平方向にスライド又は回転させることにより開状態とする重ね型携帯端末装置、あるいは、前記第１の筐体と前記第２の筐体とを重ね合わせた閉状態から、いずれかの筐体を、ヒンジ部を介して回動させることにより開状態とする折り畳み型携帯端末装置のいずれかであることを特徴とする請求項１から５のいずれか１項に記載の携帯端末装置。
【請求項７】
第１の筐体と、第２の筐体とを備えた携帯端末装置の機能起動方法であって、
前記携帯端末装置本体の傾き毎に、所定の機能を対応付けて予め設定する機能設定ステップと、
前記第１の筐体又は前記第２の筐体のいずれかが動かされて、開状態又は閉状態となったことを検出する開閉状態検出ステップと、
前記開閉状態検出ステップにより開状態が検出された場合、前記携帯端末装置本体の傾きを検出する傾き検出ステップと、
前記傾き検出ステップによって検出された傾きに基づいて、前記機能設定ステップにより予め設定された所定の機能を起動する機能起動ステップと、
を有することを特徴とする携帯端末装置の機能起動方法。
【請求項８】
前記開閉状態検出ステップにより閉状態が検出された場合、前記起動した所定の機能を終了するステップを有することを特徴とする請求項７記載の携帯端末装置の機能起動方法。
【請求項９】
前記第１の筐体及び前記第２の筐体は共に、表示手段と、該表示ステップの前面に配置される透明のスイッチ手段とを備えており、
前記機能起動ステップにより、前記所定の機能が起動された場合、
各々の前記表示手段に対して、前記所定の機能に係る情報、及び、前記所定の機能に応じた処理を指示するための操作部、のうち少なくとも１つを表示する制御を行うステップと、
前記操作部を表示した前記表示手段に対して、該表示手段の前面に配置された前記スイッチ手段を有効にする制御を行うステップと、
を有することを特徴とする請求項７又は８記載の携帯端末装置の機能起動方法。
【請求項１０】
前記第１の筐体及び前記第２の筐体は共に、表示手段と、該表示手段の前面に配置される透明のスイッチ手段とを備えており、
前記機能起動ステップにより、前記所定の機能として、画像表示機能を起動した場合、
一方の前記表示手段に対して、前記画像表示機能による画像を表示する制御を行うステップと、
他方の前記表示手段に対して、前記画像表示機能に係る情報、及び、前記画像表示機能に応じた処理を指示するための操作部を表示するステップと、
前記他方の表示手段の前面に配置された前記スイッチ手段を有効にする制御を行うステップと、
を有することを特徴とする請求項７から９のいずれか１項に記載の携帯端末装置の機能起動方法。
【請求項１１】
前記傾き検出ステップによって検出された傾きに基づいて、前記表示ステップにおける表示の向きを制御するステップを有することを特徴とする請求項９又は１０記載の携帯端末装置の機能起動方法。
【請求項１２】
前記携帯端末装置は、
前記第１の筐体と前記第２の筐体とを重ね合わせた閉状態から、いずれかの筐体を、水平方向にスライド又は回転させることにより開状態とする重ね型携帯端末装置、あるいは、前記第１の筐体と前記第２の筐体とを重ね合わせた閉状態から、いずれかの筐体を、ヒンジ部を介して回動させることにより開状態とする折り畳み型携帯端末装置のいずれかであることを特徴とする請求項７から１１のいずれか１項に記載の携帯端末装置の機能起動方法。
【請求項１３】
第１の筐体と、第２の筐体とを備えた携帯端末装置の機能起動方法をコンピュータに実行させるためのプログラムであって、
前記携帯端末装置本体の傾き毎に、所定の機能を対応付けて予め設定する機能設定処理と、
前記第１の筐体又は前記第２の筐体のいずれかが動かされて、開状態又は閉状態となったことを検出する開閉状態検出処理と、
前記開閉状態検出処理により開状態が検出された場合、前記携帯端末装置本体の傾きを検出する傾き検出処理と、
前記傾き検出処理によって検出された傾きに基づいて、前記機能設定処理により予め設定された所定の機能を起動する機能起動処理と、
をコンピュータに実行させることを特徴とするプログラム。
【請求項１４】
前記開閉状態検出処理により閉状態が検出された場合、前記起動した所定の機能を終了する処理をコンピュータに実行させることを特徴とする請求項１３記載のプログラム。
【請求項１５】
前記第１の筐体及び前記第２の筐体は共に、表示手段と、該表示処理の前面に配置される透明のスイッチ手段とを備えており、
前記機能起動処理により、前記所定の機能が起動された場合、
各々の前記表示手段に対して、前記所定の機能に係る情報、及び、前記所定の機能に応じた処理を指示するための操作部、のうち少なくとも１つを表示する制御を行う処理と、
前記操作部を表示した前記表示手段に対して、該表示手段の前面に配置された前記スイッチ手段を有効にする制御を行う処理と、
をコンピュータに実行させることを特徴とする請求項１３又は１４記載のプログラム。
【請求項１６】
前記第１の筐体及び前記第２の筐体は共に、表示手段と、該表示手段の前面に配置される透明のスイッチ手段とを備えており、
前記機能起動処理により、前記所定の機能として、画像表示機能を起動した場合、
一方の前記表示手段に対して、前記画像表示機能による画像を表示する制御を行う処理と、
他方の前記表示手段に対して、前記画像表示機能に係る情報、及び、前記画像表示機能に応じた処理を指示するための操作部を表示する処理と、
前記他方の表示手段の前面に配置された前記スイッチ手段を有効にする制御を行う処理と、
をコンピュータに実行させることを特徴とする請求項１３から１５のいずれか１項に記載のプログラム。
【請求項１７】
前記傾き検出処理によって検出された傾きに基づいて、前記表示処理における表示の向きを制御する処理をコンピュータに実行させることを特徴とする請求項１５又は１６記載のプログラム。
【請求項１８】
前記携帯端末装置は、
前記第１の筐体と前記第２の筐体とを重ね合わせた閉状態から、いずれかの筐体を、水平方向にスライド又は回転させることにより開状態とする重ね型携帯端末装置、あるいは、前記第１の筐体と前記第２の筐体とを重ね合わせた閉状態から、いずれかの筐体を、ヒンジ部を介して回動させることにより開状態とする折り畳み型携帯端末装置のいずれかであることを特徴とする請求項１３から１７のいずれか１項に記載のプログラム。
【発明の詳細な説明】
【技術分野】
【０００１】
本発明は、２つの筐体を有する携帯端末装置、その機能起動方法及びプログラムに関する。
【背景技術】
【０００２】
現在、携帯端末装置としては、携帯電話機が広く普及している。そして、携帯電話機の構成としては、１つの筐体で構成されているものもあるが、２つの筐体を有するものが一般的である。２つの筐体を有する携帯電話機としては、２つの筐体を重ね合わせた閉状態から、いずれかの筐体を、水平方向にスライド又は回転させることにより開状態とする重ね型携帯電話機（例えば、特許文献１参照）や、２つの筐体を重ね合わせた閉状態から、いずれかの筐体を、ヒンジ部を介して回動させることにより開状態とする折り畳み型携帯電話機がある（例えば、特許文献２参照）。
【特許文献１】特開２００４−２６０７４９号公報
【特許文献２】特開２００６−３１１２２４号公報
【発明の開示】
【発明が解決しようとする課題】
【０００３】
しかしながら、上記特許文献１，２に開示されているような携帯電話装置は、多機能化により便利になった反面、ユーザインタフェースが限られていたため、使用したい機能を起動するまでのユーザ操作が複雑化していた。【０００４】
本発明は、上記事情に鑑みてなされたものであり、携帯端末装置が備えるいずれかの筐体を開状態とした時の装置本体の傾きに応じて、予め設定された所定の機能を起動する折り畳み型携帯電話装置、その機能起動方法及びプログラムを提供することを目的とする。
【課題を解決するための手段】
【０００５】
かかる目的を達成するために、本発明の携帯端末装置は、第１の筐体と、第２の筐体とを備えた携帯端末装置であって、携帯端末装置本体の傾き毎に、所定の機能を対応付けて予め設定する機能設定手段と、第１の筐体又は第２の筐体のいずれかが動かされて、開状態又は閉状態となったことを検出する開閉状態検出手段と、開閉状態検出手段により開状態が検出された場合、携帯端末装置本体の傾きを検出する傾き検出手段と、傾き検出手段によって検出された傾きに基づいて、機能設定手段により予め設定された所定の機能を起動する機能起動手段と、を有することを特徴とする。【０００６】
また、本発明の携帯端末装置において、機能起動手段は、開閉状態検出手段により閉状態が検出された場合、起動した所定の機能を終了するようにしてもよい。【０００７】
また、本発明の携帯端末装置において、第１の筐体及び第２の筐体は共に、表示手段と、表示手段の前面に配置される透明のスイッチ手段とを備え、機能起動手段は、各々の表示手段に対して、起動した所定の機能に係る情報、及び、起動した所定の機能に応じた処理を指示するための操作部、のうち少なくとも１つを表示する制御を行い、かつ、操作部を表示した表示手段に対して、表示手段の前面に配置されたスイッチ手段を有効にする制御を行うようにしてもよい。【０００８】
また、本発明の携帯端末装置において、第１の筐体及び第２の筐体は共に、表示手段と、表示手段の前面に配置される透明のスイッチ手段とを備え、機能起動手段は、所定の機能として、画像表示機能を起動した場合、一方の表示手段に対して、画像表示機能による画像を表示する制御を行い、他方の表示手段に対して、画像表示機能に係る情報、及び、画像表示機能に応じた処理を指示するための操作部を表示し、かつ、他方の表示手段の前面に配置されたスイッチ手段を有効にする制御を行うようにしてもよい。【０００９】
また、本発明の携帯端末装置において、機能起動手段は、傾き検出手段によって検出された傾きに基づいて、表示手段における表示の向きを制御するようにしてもよい。【００１０】
また、本発明の携帯端末装置において、携帯端末装置は、第１の筐体と第２の筐体とを重ね合わせた閉状態から、いずれかの筐体を、水平方向にスライド又は回転させることにより開状態とする重ね型携帯端末装置、あるいは、第１の筐体と第２の筐体とを重ね合わせた閉状態から、いずれかの筐体を、ヒンジ部を介して回動させることにより開状態とする折り畳み型携帯端末装置のいずれかであるようにしてもよい。【００１１】
本発明の携帯端末装置の機能起動方法は、第１の筐体と、第２の筐体とを備えた携帯端末装置の機能起動方法であって、携帯端末装置本体の傾き毎に、所定の機能を対応付けて予め設定する機能設定ステップと、第１の筐体又は第２の筐体のいずれかが動かされて、開状態又は閉状態となったことを検出する開閉状態検出ステップと、開閉状態検出ステップにより開状態が検出された場合、携帯端末装置本体の傾きを検出する傾き検出ステップと、傾き検出ステップによって検出された傾きに基づいて、機能設定ステップにより予め設定された所定の機能を起動する機能起動ステップと、を有することを特徴とする。【００１２】
また、本発明の携帯端末装置の機能起動方法において、開閉状態検出ステップにより閉状態が検出された場合、起動した所定の機能を終了するステップを有するようにしてもよい。【００１３】
また、本発明の携帯端末装置の機能起動方法において、第１の筐体及び第２の筐体は共に、表示手段と、表示ステップの前面に配置される透明のスイッチ手段とを備えており、機能起動ステップにより、所定の機能が起動された場合、各々の表示手段に対して、所定の機能に係る情報、及び、所定の機能に応じた処理を指示するための操作部、のうち少なくとも１つを表示する制御を行うステップと、操作部を表示した表示手段に対して、表示手段の前面に配置されたスイッチ手段を有効にする制御を行うステップと、を有するようにしてもよい。【００１４】
また、本発明の携帯端末装置の機能起動方法において、第１の筐体及び第２の筐体は共に、表示手段と、表示手段の前面に配置される透明のスイッチ手段とを備えており、機能起動ステップにより、所定の機能として、画像表示機能を起動した場合、一方の表示手段に対して、画像表示機能による画像を表示する制御を行うステップと、他方の表示手段に対して、画像表示機能に係る情報、及び、画像表示機能に応じた処理を指示するための操作部を表示するステップと、他方の表示手段の前面に配置されたスイッチ手段を有効にする制御を行うステップと、を有するようにしてもよい。【００１５】
また、本発明の携帯端末装置の機能起動方法において、傾き検出ステップによって検出された傾きに基づいて、表示ステップにおける表示の向きを制御するステップを有するようにしてもよい。【００１６】
また、本発明の携帯端末装置の機能起動方法において、携帯端末装置は、第１の筐体と第２の筐体とを重ね合わせた閉状態から、いずれかの筐体を、水平方向にスライド又は回転させることにより開状態とする重ね型携帯端末装置、あるいは、第１の筐体と第２の筐体とを重ね合わせた閉状態から、いずれかの筐体を、ヒンジ部を介して回動させることにより開状態とする折り畳み型携帯端末装置のいずれかであるようにしてもよい。【００１７】
本発明のプログラムは、第１の筐体と、第２の筐体とを備えた携帯端末装置の機能起動方法をコンピュータに実行させるためのプログラムであって、携帯端末装置本体の傾き毎に、所定の機能を対応付けて予め設定する機能設定処理と、第１の筐体又は第２の筐体のいずれかが動かされて、開状態又は閉状態となったことを検出する開閉状態検出処理と、開閉状態検出処理により開状態が検出された場合、携帯端末装置本体の傾きを検出する傾き検出処理と、傾き検出処理によって検出された傾きに基づいて、機能設定処理により予め設定された所定の機能を起動する機能起動処理と、をコンピュータに実行させることを特徴とする。【００１８】
また、本発明のプログラムにおいて、開閉状態検出処理により閉状態が検出された場合、起動した所定の機能を終了する処理をコンピュータに実行させるようにしてもよい。【００１９】
また、本発明のプログラムにおいて、第１の筐体及び第２の筐体は共に、表示手段と、表示処理の前面に配置される透明のスイッチ手段とを備えており、機能起動処理により、所定の機能が起動された場合、各々の表示手段に対して、所定の機能に係る情報、及び、所定の機能に応じた処理を指示するための操作部、のうち少なくとも１つを表示する制御を行う処理と、操作部を表示した表示手段に対して、表示手段の前面に配置されたスイッチ手段を有効にする制御を行う処理と、をコンピュータに実行させるようにしてもよい。【００２０】
また、本発明のプログラムにおいて、第１の筐体及び第２の筐体は共に、表示手段と、表示手段の前面に配置される透明のスイッチ手段とを備えており、機能起動処理により、所定の機能として、画像表示機能を起動した場合、一方の表示手段に対して、画像表示機能による画像を表示する制御を行う処理と、他方の表示手段に対して、画像表示機能に係る情報、及び、画像表示機能に応じた処理を指示するための操作部を表示する処理と、他方の表示手段の前面に配置されたスイッチ手段を有効にする制御を行う処理と、をコンピュータに実行させるようにしてもよい。【００２１】
また、本発明のプログラムにおいて、傾き検出処理によって検出された傾きに基づいて、表示処理における表示の向きを制御する処理をコンピュータに実行させるようにしてもよい。【００２２】
また、本発明のプログラムにおいて、携帯端末装置は、第１の筐体と第２の筐体とを重ね合わせた閉状態から、いずれかの筐体を、水平方向にスライド又は回転させることにより開状態とする重ね型携帯端末装置、あるいは、第１の筐体と第２の筐体とを重ね合わせた閉状態から、いずれかの筐体を、ヒンジ部を介して回動させることにより開状態とする折り畳み型携帯端末装置のいずれかであるようにしてもよい。
【発明の効果】
【００２３】
本発明によれば、いずれかの筐体を動かして開状態とした時の装置本体の傾きに従って、予めユーザにより設定された所定の機能を起動する。よって、筐体を動かして開状態とする動作と同時に、ユーザが使用したい機能を起動することができるので、ユーザ操作の利便性を向上させることが可能となる。
【発明を実施するための最良の形態】
【００２４】
以下、本発明を実施するための最良の形態について添付図面を参照して詳細に説明する。【００２５】
本発明の携帯端末装置の実施形態として、２つの筐体がヒンジ部により接続されており、ヒンジ部を介して回動することにより開閉可能な折り畳み型携帯電話機について説明する。なお、本発明は、特許文献１のような、２つの重ね合わせた閉状態から、いずれかの筐体を、水平方向にスライド又は回転させることにより開状態とする重ね型携帯端末装置にも適用できる。図１は、本実施形態の折り畳み型携帯電話機の要部構成を示すブロック図であり、図２は、本実施形態の折り畳み型携帯電話機の外観を示す斜視図である。【００２６】
本実施形態の折り畳み型携帯電話機（以下、単に「携帯電話機」ともいう）は、図２に示すように、第１の筐体と、第２の筐体とがヒンジ部９により接続されており、このヒンジ部９を介して回動することにより開閉可能である。図２（ａ）が開状態を示し、図２（ｂ）が閉状態を示している。【００２７】
そして、図１に示すように、本実施形態の折り畳み型携帯電話機は、アンテナ８と、無線部２と、メモリ３と、マイク１０と、レシーバ１１と、スピーカ１２と、開閉状態検出部１３と、傾き検出部１４と、第１のＬＣＤ４と、第１のタッチパネル５と、第２のＬＣＤ６と、第２のタッチパネル７と、ＣＰＵ１とを有している。無線部２は、音声通話やＴＶ電話通話、メール等を行う際の無線データの送受信処理を行う。メモリ３は、任意に書き込み・読み出しが可能であり、様々なシーンに適した複数の表示レイアウトを記憶すると共に、携帯電話機を動作させるための各種プログラムやＩＤ情報、電話番号等の携帯電話機固有の情報を記憶する。マイク１０は、音声を入力する。レシーバ１１は、音声や着信音などを出力する。スピーカ１２は、ＴＶ電話時のハンズフリー通話に対応する。開閉状態検出部１３は、携帯電話機の開閉状態を検出する。傾き検出部１４は、携帯電話機本体の傾きを検出する。第１のＬＣＤ４及び第１のタッチパネル５は、一方の筐体（本実施形態では第１の筐体）に設けられた表示手段及び操作受付手段である。第２のＬＣＤ６及び第２のタッチパネル７は、他方の筐体（本実施形態では第２の筐体）に設けられた表示手段及び操作受付手段である。ＣＰＵ（Central Processing Unit）１は、上記各部の動作を制御する。【００２８】
なお、各々の筐体に設ける表示手段はＬＣＤに限定されず、有機ＥＬディスプレイ（Organic Electroluminescence Display）などを用いてもよい。また、ＬＣＤの前面に配置するタッチパネルは、圧力を感知する感圧式でもよいし、静電気を感知する静電式でもよく、タッチパネルと同様の機能を有する他のスイッチ手段を用いてもよい。【００２９】
また、音声のみの通話かＴＶ電話としての通話かによって、受話音声をレシーバ１１に出力するかスピーカ１２に出力するかの切り替えを行うことができる。【００３０】
開閉状態検出部１３は、携帯電話機の開閉状態を監視しており、開閉状態の変化に応じてＣＰＵ１に信号を送信することで、ＣＰＵ１は開閉状態に応じた各種制御を行うことができる。【００３１】
傾き検出部１４は、携帯電話機本体の傾き（変位）を監視しており、傾きの変化に応じてＣＰＵ１に信号を送信することで、ＣＰＵ１は傾きに応じた各種制御を行うことができる。この傾き検出部１４の例としては、加速度センサを用いることができるが、これに限定されない。【００３２】
ここで、図３を参照して、本実施形態の携帯電話機の基本制御動作について説明する。
例えば、本実施形態の携帯電話機が図３（ａ）に示す傾きで閉状態の場合に、傾き検出部１４は、携帯電話機本体の傾き（変位）を検出し、検出した傾き（角度。図３（ａ）の傾きは０度とする）を示す信号をＣＰＵ１に送出する。ＣＰＵ１は、傾き検出部１４からの信号により携帯電話機本体の傾きを認識する。また、開閉状態検出部１３は、携帯電話機本体が閉状態であることを検出し、閉状態であることを示す信号をＣＰＵ１に送出する。ＣＰＵ１は、開閉状態検出部１３からの信号により携帯電話機本体が閉状態であることを認識する。【００３３】
そして、図３（ｂ）に示すように、第１の筐体がヒンジ部９を介して回動すると、図３（ｃ）に示すように開状態になる。このとき、開閉状態検出部１３は、携帯電話機本体が開状態であることを検出し、開状態であることを示す信号をＣＰＵ１に送出する。ＣＰＵ１は、開閉状態検出部１３からの信号により携帯電話機が開状態になったことを認識すると、メモリ３に格納されている所定の表示レイアウトを読み出す。そして、ＣＰＵ１は、その表示レイアウトに基づいて、第１の筐体側の第１のＬＣＤ４には待受画面（図３（ｃ）では、日付や時刻が表示されている例）などの通常画面を表示し、かつ、第２の筐体側の第２のＬＣＤ６に操作キーなどの操作部を表示する。またこのとき、ＣＰＵ１は、第２のタッチパネル７を有効にする。そして、ユーザにより第２のＬＣＤ６に表示されている所定の操作キーが押されると、第２のタッチパネル７は押された箇所の座標を読み取り、その結果からどのキーが押されたのかを検出してＣＰＵ１に報告する。ＣＰＵ１はそれに対応した制御を行うことで所望のキー操作を実現する。なお、第１の筐体側の第１のタッチパネル５の有効／無効は使用シーンに合わせて任意に設定することができるが、誤操作を防止するために、キーが表示されないＬＣＤの前面に配置されるタッチパネルは無効にすることが好ましい。【００３４】
例えば、本実施形態の携帯電話機が図３（ｄ）に示す傾きで閉状態の場合に、傾き検出部１４は、携帯電話機本体の傾き（変位）を検出し、検出した傾き（角度。図３（ｄ）の傾きは１８０度とする）を示す信号をＣＰＵ１に送出する。ＣＰＵ１は、傾き検出部１４からの信号により携帯電話機本体の傾きを認識する。また、開閉状態検出部１３は、携帯電話機本体が閉状態であることを検出し、閉状態であることを示す信号をＣＰＵ１に送出する。ＣＰＵ１は、開閉状態検出部１３からの信号により携帯電話機本体が閉状態であることを認識する。【００３５】
そして、図３（ｅ）に示すように、第１の筐体がヒンジ部９を介して回動すると、図３（ｆ）に示すように開状態になる。このとき、開閉状態検出部１３は、携帯電話機本体が開状態であることを検出し、開状態であることを示す信号をＣＰＵ１に送出する。ＣＰＵ１は、開閉状態検出部１３からの信号により携帯電話機が開状態になったことを認識すると、メモリ３に格納されている所定の表示レイアウトを読み出す。そして、ＣＰＵ１は、その表示レイアウトに基づいて、第２の筐体側の第２のＬＣＤ６には待受画面（図３（ｆ）では、日付や時刻が表示されている例）などの通常画面を表示し、かつ、第１の筐体側の第１のＬＣＤ４に操作キーなどの操作部を表示する。またこのとき、ＣＰＵ１は、第１のタッチパネル５を有効にする。そして、ユーザにより第１のＬＣＤ４に表示されている所定の操作キーが押されると、第１のタッチパネル５は押された箇所の座標を読み取り、その結果からどのキーが押されたのかを検出してＣＰＵ１に報告する。ＣＰＵ１はそれに対応した制御を行うことで所望のキー操作を実現する。なお、第２の筐体側の第２のタッチパネル７の有効／無効は使用シーンに合わせて任意に設定することができるが、誤操作を防止するために、キーが表示されないＬＣＤの前面に配置されるタッチパネルは無効にすることが好ましい。【００３６】
次に、本実施形態の携帯電話機の機能起動動作について説明する。
まず、機能起動動作を行うための初期設定としての起動機能設定について、図４を参照して説明する。
ユーザは、本実施形態の携帯電話機において、例えば、図３（ａ）に示す状態から、第１の筐体を回動させ、図３（ｃ）に示すように開状態にしたとする。そして、ユーザが第２のＬＣＤ６に表示された操作キーで所定の操作を行うと、ＣＰＵ１は、その操作を受けて、第１のＬＣＤ４に、起動する機能を設定するための設定画面を表示する（ステップＳ１）。なお、以下に説明する設定画面の遷移は、ＣＰＵ１の制御によって行われる。【００３７】
第１のＬＣＤ４に表示された設定画面において、まず、携帯電話機本体の傾きの初期値を設定するようユーザに指示される。ここでは、例として、図３（ａ）に示す携帯電話機の傾き（０度の位置）が初期値（傾きを判断するための基準値）として設定される（ステップＳ２）。この設定は、上述したように、第１の筐体が回動されて開状態となったときに、傾き検出部１３によって傾き（０度の位置）は検出されることにより、ＣＰＵ１はその傾き（０度の位置）を認識しているので、ユーザは操作キーで決定操作を行うのみでよい。なお、図３（ａ）に示す傾き以外を初期値としたい場合は、図３（ｃ）の状態から、基準としたい所望の角度に携帯電話機を傾ける。そして、その位置（傾き）を傾き検出部１３が検出し、ＣＰＵ１がその検出位置を認識したら、ユーザに決定操作を行わせるようにする。【００３８】
次に、設定画面において、０度の位置で開状態となった時に起動する機能（起動機能）を設定するようユーザに指示される。ここで、設定画面上には、設定可能な複数の機能が表示される。ここでは、これら表示された複数の機能の中から、例えば、通常の音声通話機能（電話機能）が、ユーザ操作により選択されて設定されたとする（ステップＳ３）。【００３９】
次に、設定画面において、９０度の位置で開状態となった時に起動する機能（起動機能）を設定するようユーザに指示される。ここでも、設定画面上には、設定可能な複数の機能が表示される。ここでは、これら表示された複数の機能の中から、例えば、ＴＶ視聴機能（ワンセグ放送の視聴ソフトの起動。なお、動画ではなく、静止画の表示でもよい）が、ユーザ操作により選択されて設定されたとする（ステップＳ４）。【００４０】
次に、設定画面において、１８０度の位置で開状態となった時に起動する機能（起動機能）を設定するようユーザに指示される。ここでも、設定画面上には、設定可能な複数の機能が表示される。ここでは、これら表示された複数の機能の中から、例えば、メール機能（メールソフトの起動）が、ユーザ操作により選択されて設定されたとする（ステップＳ５）。【００４１】
以上のように、ユーザは、起動機能設定として、傾きの初期値と、傾き毎の起動機能と、を予め設定しておく。そして、これら各設定を受け付けたＣＰＵ１は、ＣＰＵ１自身が有する記憶領域（記憶部）あるいはメモリ３に記憶しておく。なお、上記説明では、電話機能、メール機能、ＴＶ視聴機能を、起動機能の例としたが、その他の機能を設定してもよい。また、上記説明では、傾き０度で電話機能を起動、９０度でＴＶ視聴機能を起動、１８０度でメール機能を起動する設定としたが、各角度及びその設定数は、上記に限定されない。【００４２】
次に、上述した起動機能設定を行った後の機能起動動作について、図５を参照して説明する。なお、図５の（ａ）及び（ｂ）はケース１を示し、図５の（ｃ）及び（ｄ）はケース２を示し、図５の（ｅ）及び（ｆ）はケース３を示しており、以下の説明では、これらケース毎に説明する。【００４３】
〔ケース１〕
ユーザは、電話をかけたい場合、携帯電話機を図５（ａ）に示す位置（０度の位置）にし、第１の筐体を回動させ、開状態にする。ＣＰＵ１は、開閉状態検出部１３から開状態になったことを示す通知を受け、また、傾き検出部１４から０度の位置であること示す通知を受ける。そして、ＣＰＵ１は、起動機能設定で予め設定された、０度の位置で開状態にされたときの機能を起動する。上述の例では、０度の位置に対応して、電話機能が設定されているので、ＣＰＵ１は、電話機能を起動する。このとき、ＣＰＵ１の制御により、図５（ｂ）に示すように、第１のＬＣＤ４には例えば電話帳一覧が表示され（第１のタッチパネル５は無効に設定される）、また、第２のＬＣＤ６には操作キーが表示されるとともに、第２のタッチパネル７が有効に設定される。【００４４】
ユーザは、第２のＬＣＤ６に表示された操作キーを操作し、第１のＬＣＤ４に表示された電話帳の中から所望の宛先（電話番号）を選択し、電話をかける。【００４５】
ユーザが、図５（ｂ）に示す開状態のときに、第１の筐体を回動させ、図５（ａ）に示す閉状態にすると、開閉状態検出手段１３は、閉状態を検出し、ＣＰＵ１に通知する。ＣＰＵ１は、閉状態を認識すると同時に、起動中の電話機能を終了するよう制御する。【００４６】
〔ケース２〕
ユーザは、メールの送受信や閲覧を行いたい場合、携帯電話機を図５（ｃ）に示す位置（１８０度の位置）にし、第１の筐体を回動させ、開状態にする。ＣＰＵ１は、開閉状態検出部１３から開状態になったことを示す通知を受け、また、傾き検出部１４から１８０度の位置であること示す通知を受ける。そして、ＣＰＵ１は、起動機能設定で予め設定された、１８０度の位置で開状態にされたときの機能を起動する。上述の例では、１８０度の位置に対応して、メール機能が設定されているので、ＣＰＵ１は、メール機能（メーラ）を起動する。このとき、ＣＰＵ１の制御により、図５（ｄ）に示すように、第２のＬＣＤ６には例えばメールメニュー一覧が表示され（第２のタッチパネル７は無効に設定される）、また、第１のＬＣＤ４には操作キーが表示されるとともに、第１のタッチパネル５が有効に設定される。【００４７】
ユーザは、第１のＬＣＤ４に表示された操作キーを操作し、第２のＬＣＤ６に表示されたメニューの中から所望のメニューを選択し、メニューを実行する。【００４８】
ユーザが、図５（ｄ）に示す開状態のときに、第１の筐体を回動させ、図５（ｃ）に示す閉状態にすると、開閉状態検出手段１３は、閉状態を検出し、ＣＰＵ１に通知する。ＣＰＵ１は、閉状態を認識すると同時に、起動中のメール機能を終了するよう制御する。【００４９】
〔ケース３〕
ユーザは、ワンセグ放送などのＴＶ放送を視聴したい場合、携帯電話機を図５（ｅ）に示す位置（９０度の位置）にし、第１の筐体を回動させ、開状態にする。ＣＰＵ１は、開閉状態検出部１３から開状態になったことを示す通知を受け、また、傾き検出部１４から９０度の位置であること示す通知を受ける。そして、ＣＰＵ１は、起動機能設定で予め設定された、９０度の位置で開状態にされたときの機能を起動する。上述の例では、９０度の位置に対応して、ＴＶ視聴機能が設定されているので、ＣＰＵ１は、ＴＶ視聴機能を起動する。このとき、ＣＰＵ１の制御により、図５（ｆ）に示すように、第２のＬＣＤ６にはＴＶ放送の映像が表示され（第２のタッチパネル７は無効に設定される）、また、第１のＬＣＤ４には放送ブラウザ及び操作キーが表示されるとともに、第１のタッチパネル５が有効に設定される。【００５０】
ユーザは、第１のＬＣＤ４に表示された放送ブラウザを参照して操作キーを操作し、第２のＬＣＤ６に表示されたＴＶ放送の映像に係る設定などを行う。【００５１】
ユーザが、図５（ｆ）に示す開状態のときに、第１の筐体を回動させ、図５（ｅ）に示す閉状態にすると、開閉状態検出手段１３は、閉状態を検出し、ＣＰＵ１に通知する。ＣＰＵ１は、閉状態を認識すると同時に、起動中のＴＶ視聴機能を終了するよう制御する。【００５２】
上記各ケースにおいて、ＣＰＵ１は、傾き検出手段１４によって検出された傾きに基づいて、ＬＣＤにおける表示の向き（電話帳一覧、メールメニュー、ＴＶ放送の映像、操作キーなどの表示方向）を制御する。すなわち、図５（ｂ）、（ｄ）、（ｆ）に示すように、携帯電話機がどのように傾いていても、ユーザが表示内容を認識できるように表示される。つまり、例えば、図５（ｄ）に示す携帯電話機は、図５（ｂ）に示す携帯電話機を逆さまにした状態と同じであるが、図５（ｄ）において、ＬＣＤ４，６の表示は逆さまではなく、図５（ｂ）に示す表示と同じ向きで表示されている。【００５３】
以上説明したように、本実施形態の折り畳み型携帯電話機によれば、ユーザが所望の機能を起動することが容易になり、ユーザ操作の複雑さを軽減できる。その理由は、携帯電話機を開く時の傾きに応じて、予め設定された機能（アプリケーションソフトウェア）が起動するように制御するからである。【００５４】
以上、本発明の実施形態について説明したが、本発明は、上記実施形態の記載に限定されるものではなく、その要旨を逸脱しない範囲において種々の変形が可能である。【００５５】
この出願は、２００７年３月１６日に出願された日本出願特願２００７−０６８５６６を基礎とする優先権を主張し、その開示を全てここに取り込む。
【図面の簡単な説明】
【００５６】
【図１】本発明の実施形態である折り畳み型携帯電話機の要部構成を示すブロック図である。
【図２】本発明の実施形態である折り畳み型携帯電話機の開閉状態を示す外観斜視図である。
【図３】本発明の実施形態である折り畳み型携帯電話機の傾き毎の開動作の遷移を示す外観正面図である。
【図４】本発明の実施形態である折り畳み型携帯電話機の起動機能設定動作を示すフローチャートである。
【図５】本発明の実施形態である折り畳み型携帯電話機の機能起動動作の各ケースを示す外観正面図である。
【符号の説明】
【００５７】
１    ＣＰＵ（機能設定手段、機能起動手段）
２    無線部
３    メモリ
４    第１のＬＣＤ（表示手段）
５    第１のタッチパネル（スイッチ手段）
６    第２のＬＣＤ（表示手段）
７    第２のタッチパネル（スイッチ手段）
８    アンテナ
９    ヒンジ部
１０    マイク
１１    レシーバ
１２    スピーカ
１３    開閉状態検出部（開閉状態検出手段）
１４    傾き検出部（傾き検出手段）
【図１】
2008126571.tif 000003
【図２】
2008126571.tif 000004
【図３】
2008126571.tif 000005
【図４】
2008126571.tif 000006
【図５】
2008126571.tif 000007
【国際調査報告】
2008126571.tif 000008
2008126571.tif 000009
2008126571.tif 000010